(57)【要約】      （修正有）【課題】流体コンポーネントの下に配置するのに適したディスペンサーサンプの提供。【解決手段】  分配ユニット用のサンプは、分配ユニットのフットプリントの下に配置され、滴下開口の近傍に電線または付属の通信線を導くための通路である。該電線または付属の通信線の受入構造は、電線及び／又は他の付属の通信線を、サンプの中への若しくは外への潜在的なリークパスを作ることなく、分配ユニットのフットプリントの下から分配ユニットに導く。【選択図】      図４
2005324867.tif 000002
【特許請求の範囲】
【請求項１】
流体処理コンポーネントの下に配置されるのに適合したディスペンサーサンプであって、
底壁構造及び少なくとも一つの側壁構造を含む格納構造物であって、底壁構造及び少なくとも一つの側壁構造は、流体を収容することが可能な格納構造物の中に内部空洞を協同して画定し、前記側壁構造は、底壁構造の反対側に滴下開口をさらに画定し、前記滴下開口は、流体の滴りを受け止めるための所定の滴下領域を画定し、前記滴下開口は、流体処理コンポーネントのフットポイントの下に配置されるのに適合する、格納構造物と、
該格納構造物によって画定される空間に入り込むように設けられ、前記滴下開口によって画定される滴下領域に近接して終端する通路であって、前記内部空洞から隔てられ、付属の通信線を受け入れ且つ流体処理コンポーネントのフットプリントの下に導くのに適合する通路と、
を備えるディスペンサーサンプ。
【請求項２】
前記通路は、前記滴下開口の下の位置から該滴下開口まで縦に延びる格納構造物の少なくとも一つの側壁構造におけるリセスによって形成される請求項１に記載のディスペンサーサンプ。
【請求項３】
前記通路を形成するリセスは、格納構造物の外側に延びる縦方向の開放側面を含む請求項２に記載のディスペンサーサンプ。
【請求項４】
前記滴下領域及び該滴下領域に入り込むように設けられるリセスは、それぞれ概ね四角形状を有する請求項３に記載のディスペンサーサンプ。
【請求項５】
前記通路は、底壁構造から滴下開口に近接する位置まで縦に延びる請求項１に記載のディスペンサーサンプ。
【請求項６】
前記所定の滴下領域は、概ね長方形状を有する請求項１に記載のディスペンサーサンプ。
【請求項７】
前記通路は、少なくとも一つの側壁構造におけるリセスによって形成される請求項１に記載のディスペンサーサンプ。
【請求項８】
前記通路を形成する少なくとも一つの側壁構造におけるリセスは、格納構造物の外側へ延びる開口を含む請求項１に記載のディスペンサーサンプ。
【請求項９】
前記通路は、滴下開口に近接する位置から延びる一方、底壁構造に至らない請求項１に記載のディスペンサーサンプ。
【請求項１０】
ディスペンサーアセンブリであって、
液体流体ディスペンサーであって、
所定のサイズ及び形状の内部領域及びフットプリントを有するハウジングと、
該ハウジングの内部領域内に配置される少なくとも一つの液体ディスペンサーコンポーネントと、を含む液体流体ディスペンサーと、
前記ハウジングの下に配置されるディスペンサーサンプであって、
底壁構造及び少なくとも一つの側壁構造を含む格納構造物であって、前記底壁構造及び少なくとも一つの側壁構造は、流体を収容可能な格納構造物の中に内部空洞を協同して画定し、前記少なくとも一つの側壁構造は、底壁構造の反対側に滴下開口をさらに画定し、前記滴下開口は、前記ハウジングのフットプリントに対応するサイズ及び形状とされる滴下領域を画定し、前記滴下開口は、ハウジングのフットプリントの下に配置され、前記少なくとも一つの液体ディスペンサーコンポーネントからの滴りを受け止めるよう機能する、格納構造物と、
該格納構造物によって画定される空間に入り込むように設けられ、前記滴下開口によって画定される滴下領域に近接して終端する通路であって、格納構造物の内部空洞から隔てられる通路と、を含むディスペンサーサンプと、
前記通路を通って延びる少なくとも一つの付属の通信線であって、格納構造物を出てハウジングのフットプリントの下から前記少なくとも一つの液体ディスペンサーコンポーネントに延びる少なくとも一つの付属の通信線と、
を備えるディスペンサーアセンブリ。
【請求項１１】
前記通路は、前記滴下開口の下の位置から該滴下開口まで縦に延びる格納構造物の少なくとも一つの側壁構造におけるリセスによって形成される請求項１０に記載のディスペンサーアセンブリ。
【請求項１２】
前記通路を形成するリセスは、格納構造物の外側に延びる縦方向の開放側面を含む請求項１１に記載のディスペンサーアセンブリ。
【請求項１３】
前記ハウジングのフットプリント及び滴下領域を画定する滴下開口は、適合する四角形状及びサイズを有する請求項１２に記載のディスペンサーアセンブリ。
【請求項１４】
前記滴下領域及び該滴下領域に入り込むように設けられるリセスは、それぞれ概ね長方形状を有する請求項１２に記載のディスペンサーアセンブリ。
【請求項１５】
前記通路は、底壁構造から滴下開口に近接する位置まで縦に延びる請求項１０に記載のディスペンサーアセンブリ。
【請求項１６】
前記通路は、少なくとも一つの側壁構造におけるリセスによって形成される請求項１０に記載のディスペンサーアセンブリ。
【請求項１７】
前記通路を形成する少なくとも一つの側壁構造におけるリセスは、格納構造物の外側へ延びる開口を含む請求項１１に記載のディスペンサーアセンブリ。
【請求項１８】
前記通路は、滴下開口に隣接する位置から延びる一方、底壁構造に至らない請求項１０に記載のディスペンサーアセンブリ。
【請求項１９】
付属の通信線を収容するのに適合したディスペンサーサンプであって、
底壁構造及び少なくとも一つの側壁構造を含む格納構造物であって、前記底壁構造及び少なくとも一つの側壁構造は、流体を収容可能な格納構造物の中に内部空洞を協同して画定し、前記側壁構造は、底壁構造の反対側に滴下開口をさらに画定し、該滴下開口は、流体の滴りを受け止めるための所定の滴下領域を画定し、前記滴下開口は、流体処理コンポーネントのフットプリントの下に配置されるのに適合する、格納構造物と、
滴下開口の近傍に配置される付属の通信線の受入構造であって、格納構造物の外部に配置される付属の通信線を受け入れ、付属の通信線を滴下領域に近接する位置に導くのに適合する受入構造と、
を備えるディスペンサーサンプ。
【発明の詳細な説明】
【技術分野】
【０００１】
本発明は、サンプ（液溜め）を対象としており、より具体的には、液体分配コンポーネントからの滴りを回収するサンプを対象とするものである。本発明は、ガソリンスタンドなどで燃料を販売するために通常使用されるタイプの燃料ディスペンサーなどの液体燃料ディスペンサーの下の滴下領域に、電線又は他の付属の通信線を導くための通路を有するサンプに関連して具体的に開示される。
【背景技術】
【０００２】
典型的な自動車用の燃料供給所においては、燃料は、地上の分配ポンプまで、地下のタンク、パイプ、接続具、サンプ及びディスペンサーのネットワーク（連絡路）を介して送られる。これらのネットワークで用いられるサンプの中には、地上の分配ユニットの下に配置されるサンプもある。これらのサンプは、好ましくは、地上の分配ユニットのためのハウジングの下に完全に適合し、地上の分配ユニット内のいずれかのコンポーネントからの滴りによる土地の汚染を防止すべく機能する。
【０００３】
土壌汚染の危険性を減少させるために、地上の分配ユニットの下に配置されるサンプは、分配ユニットから漏れ得る若しくは滴り得る燃料の全てを受け取ることが、必須でないにしても望ましい。このため、かかるサンプの開口は、分配ユニットの下の潜在的な滴下領域を完全にカバーするのに十分な大きさを有するものである。また、経済的な観点からは、サンプを大きくし過ぎないことが望ましい。従って、サンプは、分配ユニットのハウジングのフットプリント（設置領域）と適合するようなサイズ及び形状とされた開口を備えて適切に設計されるのが一般的であり、即ち、サンプの開口のサイズ及び形状は、滴りが発生し得る領域に対応したサイズ及び形状とされる。
【０００４】
また、地上の分配ユニット内のコンポーネントは、電力をユニットの下から供給されることが望ましい。このことは、従来技術においては、電線用導管を、サンプのサイドウォール（側壁）を通過させ、且つ、滴りの回収に用いられる上部の開口を通ってサンプの外に導くことにより実現されている。この方法は、電線又は他の付属の通信線をハウジングの下の分配ユニットに導くという利点を有するものであるが、サンプの壁を通る通信線の通路は、回収された燃料がサンプの外へ漏れること及び／又は地下水がサンプの中へ漏れることなどにより、潜在的なリークパスを形成するものである。この問題は、サンプの中へのかかる線の導入位置でシールを使用することにより、部分的に解決されている。
【発明の開示】
【発明が解決しようとする課題】
【０００５】
しかしながら、かかるシールの取付及び使用は、コストを増大させるものである。しかも、かかるシールは、時間とともに劣化しやすく、高品質のシールを使用したとしても、時として漏れが発生する。
【０００６】
そこで、本発明は、その一側面として、従来技術の欠陥を克服するサンプを提供するものである。特に、本発明の一側面は、流体処理コンポーネントからの滴りを全て回収すると同時に、サンプの中への若しくは外への潜在的なリークパスを導く（形成する）ことなく、付属の通信線を所定のフットプリントの下に導くことを可能にするサンプを提供することである。
【０００７】
本発明のさらなる側面、利点、及び斬新な特徴は、後に続く詳細な説明に記述され、そして、発明の試験若しくは実施によって、当業者に明確になるであろう。発明の側面及び利点は、添付の特許請求の範囲の中で特に指摘された手段及び組み合わせによって実現し、達成されるであろう。
【課題を解決するための手段】
【０００８】
上述の側面及びその他の側面を実現するために、ここに説明された本発明の目的に従って、流体処理コンポーネントの下に配置するのに適したディスペンサーサンプが提供される。
該サンプは、底壁構造及び少なくとも一つの側壁構造を有する格納構造物を含む。底壁構造及び少なくとも一つの側壁構造は、流体を収容することが可能な格納構造物の中に内部空洞を協同して画定する。側壁構造は、さらに、底壁構造とは反対側において滴下開口を画定する。該滴下開口は、流体の滴りを受け止めるための所定の滴下領域を画定し、流体処理コンポーネントのフットプリントの下に配置されるよう適合される。
格納構造物によって画定される空間に入り込むように通路が設けられており、該通路は、前記開口によって画定される滴下領域に近接して終端する。通路は、内部空洞から隔てられており、付属の通信線を受け入れ、流体処理コンポーネントのフットプリントの下に導くのに適合される。
【０００９】
本発明の一つの具体的な形態によると、前記通路は、格納構造物の側壁構造に設けられるリセス（凹部）によって形成され、該リセスは、滴下開口の下の位置から該滴下開口まで縦に延びる。
【００１０】
本発明の他の形態では、前記通路を形成するリセスが、格納構造物の外部まで延びる縦方向の開放側面を含む。
【００１１】
本発明の他の具体的な形態では、前記リセスが滴下領域に延び、リセス及び滴下領域の両方が、概ね四角形状を有する。
【００１２】
本発明の一つの具体的な形態では、前記通路は、底壁構造から滴下開口と近接する位置まで縦に延びる。
【００１３】
本発明の他の具体的な形態では、前記所定の滴下領域が、概ね長方形状を有する。
【００１４】
本発明の好ましい一つの形態では、前記通路を形成する側壁構造におけるリセスが、格納構造物の外側へ延びる開口を含む。
【００１５】
本発明の他の具体的な形態では、前記通路が、開口に近接する位置から延びる一方、底壁構造には至らない。
【００１６】
本発明のさらに他の形態では、液体流体ディスペンサーと、ディスペンサーサンプとを備えるディスペンサーアセンブリを含む。
前記液体流体ディスペンサーは、内部領域及び所定のサイズ及び形状のフットプリントを有するハウジングを含む。該ハウジングの内部領域内には、少なくとも一つの液体ディスペンサーコンポーネントが配置される。
前記ディスペンサーサンプは、前記ハウジングの下に配置され、また、格納構造物を含む。該格納構造物は、底壁構造及び少なくとも一つの側壁構造を含む。該底壁構造及び少なくとも一つの側壁構造は、流体を収容可能な格納構造物の中に内部空洞を画定するために協同する。前記少なくとも一つの側壁構造は、底壁構造の反対側に滴下開口をさらに画定する。該滴下開口は、前記ハウジングのフットプリントに対応するサイズ及び形状とされる滴下領域を画定する。前記滴下開口は、ハウジングのフットプリントの下に配置され、前記少なくとも一つの液体ディスペンサーコンポーネントからの滴りを受け止めるよう機能する。
通路が、格納構造物によって画定される空間に入り込むように設けられ、開口によって画定される滴下領域に近接して終端する。通路は、格納構造物の内部空洞から隔てられる。
少なくとも一つの付属の通信線が、前記通路を通って延び、格納構造物を出てハウジングのフットプリントの下から前記少なくとも一つの液体ディスペンサーコンポーネントに延びる。
【００１７】
本発明の他の形態では、前記通路は、格納構造物の少なくとも一つの側壁構造に設けられるリセスによって形成され、該リセスは、滴下開口の下の位置から該滴下開口まで縦に延びる。
【００１８】
本発明の他の形態では、通路を形成する前記リセスは、格納構造物の外部に延びる縦に延びる開放側面（即ち、縦方向の開放側面）を含む。
【００１９】
本発明の好ましい一つの形態では、ハウジングのフットプリント及び滴下領域を画定する開口は、適合する四角形状及びサイズを有する。
【００２０】
本発明の特に好ましい一つの形態では、前記滴下領域及び該滴下領域に入り込むように設けられるリセスは、それぞれ概ね長方形状を有する。
【００２１】
本発明の一つの具体的な形態では、前記通路は、底壁構造から滴下開口に近接する位置に縦に延びる。
【００２２】
本発明の他の具体的な形態では、前記通路は、格納構造物の少なくとも一つの側壁構造におけるリセスによって形成され得る。また、該通路は、滴下領域に及び得る。
【００２３】
本発明の一つの具体的な形態では、前記通路は、格納構造物の外部への開口を含む。
【００２４】
本発明の一つの別の形態では、前記通路は、開口に近接する位置から延びる一方、底壁構造に至らない。
【００２５】
本発明のさらに他の形態では、付属の通信線を収容するのに適応したディスペンサーサンプが与えられる。
該ディスペンサーサンプは、底壁構造及び少なくとも一つの側壁構造を備えた格納構造物を含む。前記底壁構造及び少なくとも一つの側壁構造は、流体を収容可能な格納構造物の中に内部空洞を画定するために協同する。前記側壁構造は、底壁構造の反対側に滴下開口をさらに画定する。該滴下開口は、流体の滴りを受け止めるための所定の領域を画定し、流体処理コンポーネントのフットプリントの下に配置されるのに適合する。
滴下開口の近傍には、付属の通信線の受入構造が配置される。該受入構造は、格納構造物の外部に配置される付属の通信線を受け入れるのに適合するとともに、付属の通信線を滴下領域に近接する位置に導くのに適合する。
【発明を実施するための最良の形態】
【００２６】
以下の詳細な説明は、図面を考慮してより完全に理解されるであろう。
【００２７】
図１は、燃料を地下の貯蔵タンクから地上のディスペンサーに分配するためのネットワークの様々なコンポーネントを表す、典型的な燃料販売所用の従来技術に係る燃料分配ネットワークの略図である。
【００２８】
図２は、地上の燃料ディスペンサーの下に配置された典型的な従来技術に係るサンプの拡大図である。
【００２９】
図３は、図１において表された燃料販売所用の流体分配ネットワークに類似するが、本発明の一実施形態に従って構成されたサンプが表されている燃料販売所用の流体分配ネットワークの略図である。
【００３０】
図４は、図３中に表したサンプの拡大斜視図である。
【００３１】
図５は、図３及び図４のサンプの正面図である。
【００３２】
図６は、図３〜図５のサンプの上面図である。
【００３３】
図７は、図３〜図６のサンプの側面図である。
【００３４】
図８は、本発明の本質に従って構成されたサンプの別の実施形態の斜視図である。
【００３５】
図９は、本発明の本質に従って構成されたサンプのさらに他の実施形態の斜視図である。
【００３６】
図１０は、本発明の本質に従って構成され、地上の分配ユニットのフットプリントの下に配置されたサンプの開口を表すサンプの側面断面図である。
【００３７】
図面に記述された具体例は、事実上説明のためのものであり、特許請求の範囲によって明示された発明を限定することを意図するものではない。さらに、図面及び発明の個々の特徴は、ここに提供された詳細な説明を考慮して、より完全に明白になり、理解されるであろう。
【００３８】
図面、特に図１を参照すると、一般に燃料販売所の中で典型的に見られるタイプの流体分配コンポーネントの従来技術のネットワークが示される。該ネットワークは、ガソリン又は他の燃料が汲み上げられ、燃料デリバリーパイプ１２に提供される地下の貯蔵タンク１０を含む。図１に表されるように、燃料デリバリーパイプ１２は、販売所のドライブ面１４の下の地下の位置に配置される。燃料デリバリーパイプ１２は、地下のサンプ１８の中に配置されたＴ型の接続具１６に終端が設けられる。Ｔ型の接続具１６は、燃料の流れを、地下の貯蔵タンク１０から、地上の分配ユニット２２の下の立上り管２０、及び、さらなるデリバリーパイプ２４へと導く。該デリバリーパイプ２４は、燃料を、さらなる地上の分配ユニット３０の下に配置されたサンプ２８の中の接続具２６へと導く。
【００３９】
図２により明確に示されるように、付属の通信線３２（例えば電線が含まれ得る）は、電気エネルギーをポンプ及び／又は対応する地上の分配ユニット（例えば、図１中に示される燃料分配ユニット３０）中に配置された他の電動のコンポーネントに提供するために、サンプ２８の側壁を貫通し得る。流体がこの側壁の開口を通って流れるのを防止するために、付属の通信線３２は、該付属の通信線３２が側壁の開口を貫通する際に、シール３４によって取り囲まれる。
【００４０】
シール３４などのシールは、従来技術において、サンプの中へ又は外への漏れをシールすることに成功した。しかし、あいにく、かかるシール及びこれらを導入することは、サンプ２８のコストを増大させるものである。さらに、かかるシールは、漏れを防止することに関して、特に、時間が経過し環境の影響にさらされた後にあっては、完全には成功していない。
【００４１】
ここで、図３を参照すると、本発明の本質に従って構成された改良されたサンプ／ディスペンサーのアセンブリが示される。図１中で表されたパイプのネットワークのように、図３のネットワークは、ガソリン又は他の流体が汲み上げられ、デリバリーパイプ４２に提供される地下の貯蔵タンク４０を含む。デリバリーパイプ４２は、この流体をサンプ４６の中に配置された接続具４４に送る。流体は、立上り管４８を通して接続具４４から分配ユニット（例えば燃料分配ユニット５０）に送られる。また、流体は、デリバリーパイプ５２を通り、また、ともにサンプ６０内に配置される接続具５６及びさらなる立上り管５８を通って、接続具４４からさらなる分配ユニット（例えば、燃料分配ユニット５４）へ送られる。
【００４２】
図３のサンプは、図１及び図２の中で表された従来技術に係るサンプと異なり、電線又は他の付属の通信線のための側壁の開口を含まない。サンプ６０の典型的な一具体例が、図４の中においてさらに詳細に示される。図４に示されるように、サンプ６０は、一様に数字の６２で指定される格納構造物を含む。格納構造物６２は、数字の６４で一括して参照された複数の側壁構造と、底壁構造６６とを含む。該底及び側壁構造６６，６４は、流体を収容することが可能な格納構造物６２の中に内部空洞６８を画定するために協同する。即ち、底及び側壁構造６６，６４により、内部空洞６８が画定される。図４中で具体的に図示された側壁構造６４は、格納構造物の断面形状が概ね四角形状となるように配置される。図示の具体例では、前記形状は、概ね長方形状である。
【００４３】
サンプ６０は、その上部近傍且つ底壁構造６６と反対側に、開口７０を有している。この開口７０は、図３に示すように、燃料分配ユニット５４のフットプリントのサイズ及び形状とほぼ一致するようなサイズ及び形状に構成される。当業者であれば、燃料分配ユニット５４内の流体処理コンポーネントからの滴りを開口７０が受け入れることは、すぐに理解するであろう。滴りが土壌を汚染することのないように、燃料分配ユニット５４からのいかなる滴りもサンプ６０の中に収容されることが必須であるので、開口７０によって画定された滴下領域は、燃料分配ユニット５４のフットプリント全体を、完全に若しくは少なくとも実質的に、包含することが望ましい。
【００４４】
具体的に図示されたサンプ６０の中で、図５に最もよく示されるように、側壁構造６４は、格納構造物６２を３つの別の部分（即ち、下部６４ａ、中間部６４ｂ及び上部６４ｃ）に配列し、それら全ては、概ね長方形状の断面を持つことが分かる。
【００４５】
本発明に従い、サンプ６０は、電線又は他の付属の通信線を受け入れ、且つ、開口７０によって画定される滴下領域に近接する位置まで導くための付属の通信線受け入れ構造を含む。これは、格納構造物６２によって画定された空間に延びる（即ち、入り込むように設けられる）通路８０の作用を通じて、具体的に図示された本発明の具体例において実現される。
【００４６】
具体的に図示された図４〜図８の具体例において、この通路８０は、底壁構造６６から滴下開口７０と近接若しくは隣接する位置まで延びる。通路８０は、燃料分配ユニットの中の流体処理コンポーネントからのいかなる滴りも通路８０に入らず、むしろ滴下開口７０に導かれ得るように、滴下開口７０を考慮して位置決めされ且つ／又は形成されることが理解されるであろう。
【００４７】
この図示された具体例において、通路８０は、側壁構造６４の一つ以上に設けられた側面が開いているリセスによって形成される。図示のように、通路８０は、概ね四角形状、具体的には、長方形状を有し、格納構造物６２の外側に延びる開放側面を含む。通路８０は、底及び側壁構造６６，６４によって画定された内部空洞６８から分離される。
【００４８】
図５に図示されるように、通路８０は、（例えば、燃料分配ユニット５４の中のコンポーネントに動力を供給するための）電線及び／又は他の付属の通信線３２を、格納構造物６２の側壁又は底構造６４，６６のいずれをも貫通することなく、分配ユニット５４のフットプリントの下の領域に供給することを可能とする。
【００４９】
図４〜図７中で表された具体例では、通路８０は、格納構造物６２の底部から上部にかけて収束する形状を有する。この形状により、通信線は、徐々に、緩やかに曲がることが可能となる。その他の具体例として、通路８０が収束しない形状を有するものが、図８に示される。図８の通路８０は、図４〜図７の具体例における通路８０と同様に、側壁構造６４中における長方形状の断面を有する側面が開放されたリセスによって形成される。しかし、図８の通路８０の断面形状は、図４〜図７の通路８０と異なり、底構造６６から開口７０によって画定された滴下領域に近接する位置にかけて、実質的に一定である。
【００５０】
図９は、図８の具体例と類似するその他の具体例を示し、この具体例は、通路８０が、概ね一定の断面形状を有し、また、電線及び／又は他の付属の通信線を燃料分配ユニット５４のフットプリントの下に供給するために、開口７０によって画定される滴下領域に近接する位置に延びる点で、図８の具体例と類似する。一方、図９の通路８０は、底壁構造６６に至らない（延びていない）という点で、図８の具体例と異なる。代わりに、この後者の具体例では、電線及び／又は他の付属の通信線は、底壁構造６６と滴下開口７０との中間位置で、格納構造物６２により画定された空間に入る。
【００５１】
図１０は、燃料分配ユニット５４のフットプリントの下に配置されたサンプ６２を表し、また、通路８０を通り、燃料分配ユニット５４内の液体燃料分配コンポーネント８４まで導かれる電線３２を図示する。燃料分配ユニット５４のフットプリントは、概ね燃料分配ユニット５４の外殻５４ａによって画定されることが分かる。
【００５２】
ここで説明された具体的な説明及び具体例は、事実上典型的なものに過ぎず、特許請求の範囲によって画定される発明を制限することを意図するものではない。さらなる具体例及び実施例は、この明細書を考慮して当業者にとって明白であろうし、請求の範囲に記載されている発明の範囲の中に含まれるものである。
【図面の簡単な説明】
【００５３】
【図１】燃料を地下の貯蔵タンクから地上のディスペンサーに分配するためのネットワークの様々なコンポーネントを表す、典型的な燃料販売所用の従来技術に係る燃料分配ネットワークの略図である。
【図２】地上の燃料ディスペンサーの下に配置された典型的な従来技術に係るサンプの拡大図である。
【図３】図１において表された燃料販売所用の流体分配ネットワークに類似するが、本発明の一実施形態に従って構成されたサンプが表されている燃料販売所用の流体分配ネットワークの略図である。
【図４】図３中に表したサンプの拡大斜視図である。
【図５】図３及び図４のサンプの正面図である。
【図６】図３〜図５のサンプの上面図である。
【図７】図３〜図６のサンプの側面図である。
【図８】本発明の本質に従って構成されたサンプの別の実施形態の斜視図である。
【図９】本発明の本質に従って構成されたサンプのさらに他の実施形態の斜視図である。
【図１０】本発明の本質に従って構成され、地上の分配ユニットのフットプリントの下に配置されたサンプの開口を表すサンプの側面断面図である。
【符号の説明】
【００５４】
１０…貯蔵タンク、１２…燃料デリバリーパイプ、１４…ドライブ面、１６…接続具、１８…サンプ、２０…立上り管、２２…分配ユニット、２４…デリバリーパイプ、２６…接続具、２８…サンプ、３０…燃料分配ユニット、３２…通信線（電線）、３４…シール、４０…貯蔵タンク、４２…デリバリーパイプ、４４…接続具、４６…サンプ、４８…立上り管、５０…燃料分配ユニット、５２…デリバリーパイプ、５４ａ…外殻、５４…燃料分配ユニット、５６…接続具、５８…立上り管、６０…サンプ、６２…格納構造物、６４ａ…下部、６４ｂ…中間部、６４ｃ…上部、６４…側壁構造、６６…底壁構造、６８…内部空洞、７０…滴下開口、８０…通路、８４…液体燃料分配コンポーネント
【図１】
2005324867.tif 000003
【図２】
2005324867.tif 000004
【図３】
2005324867.tif 000005
【図４】
2005324867.tif 000006
【図５】
2005324867.tif 000007
【図６】
2005324867.tif 000008
【図７】
2005324867.tif 000009
【図８】
2005324867.tif 000010
【図９】
2005324867.tif 000011
【図１０】
2005324867.tif 000012